【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
スペクトラム拡散変調された微弱電波の信号を受信し、スペクトラム逆拡散復調して、受信データに含まれる識別子を確認し、当該識別子が受信側で記憶する識別子と一致する場合に、受信データの符号誤り率と予め設定された良好な通信における誤り率のしきい値とを比較し、両者の差分を標準値と比較して通信環境の状態を判定し、アンテナ状態テーブルを参照して複数配置したアンテナから受信させるアンテナを特定するアンテナパターンを形成し、当該形成されたアンテナパターンに従ってアンテナの選択を行うことで、当該通信環境の状態に応じてアンテナの総合した指向性を調整することを特徴とする高周波無線機の制御方法。
【請求項２】
標準値は、調整履歴から算出され、
アンテナ状態テーブルは、電波の受信角度に対して使用のために選択されるアンテナを記憶するものであり、
前記標準値に基づいて受信データの符号誤り率と誤り率のしきい値との差分の大小を決定することで通信環境の状態を判定し、前記アンテナ状態テーブルを参照して前記差分の大小に対応するアンテナパターンを形成することを特徴とする請求項１記載の高周波無線機の制御方法。
【請求項３】
受信データの符号誤り率と誤り率のしきい値との差分が大きい場合は、現在の受信角度に対して１８０度方向の受信感度を持つアンテナパターンを形成することを特徴とする請求項２記載の高周波無線機の制御方法。
【請求項４】
受信データの符号誤り率と誤り率のしきい値との差分が小さい場合は、現在の受信角度に対して隣接する受信角度の受信感度を持つアンテナパターンを形成することを特徴とする請求項２又は３記載の高周波無線機の制御方法。
【請求項５】
アンテナの総合した指向性を調整した後に、拡散率が予め定められた範囲において下限ではない場合に、以降の受信フレームから拡散率を減少させる旨の情報を送信側に通知し、受信側では当該減少させた拡散率により受信動作を行うことを特徴とする請求項１乃至４のいずれか記載の高周波無線機の制御方法。
【請求項６】
アンテナの総合した指向性を調整した後に、拡散率が予め定められた範囲において上限ではない場合に、以降の受信フレームから拡散率を増加させる旨の情報を送信側に通知し、受信側では当該増加させた拡散率により受信動作を行うことを特徴とする請求項１乃至５のいずれか記載の高周波無線機の制御方法。
【請求項７】
子機からの微弱電波をスペクトラム拡散通信方式により受信する親機を備える高周波無線機システムであって、
前記親機が、
複数のアンテナを備えるアンテナ部と、
前記アンテナ部から取り込んだ微弱電波を増幅して帯域制限し、中間周波数帯にダウンコンバートして増幅する無線部と、
前記無線部から入力された信号をキャリア復調し、スペクトラム逆拡散処理して同期した信号を復調し、受信データを復号する信号処理部と、
前記アンテナ部における指向性を特定のアンテナを選択することで調整するアンテナ切替部と、
前記信号処理部で得られた受信データに含まれる識別子と予め記憶する識別子が一致した場合に、受信データについて符号誤り率に応じて前記アンテナ切替部におけるアンテナパターンを形成するアンテナ制御部とを有し、
前記無線部は、アンテナ部から取り込んだ微弱電波を増幅して帯域制限するのに水晶フィルタを用い、帯域制限された信号を中間周波数帯にダウンコンバートするのに高周波ローカル信号を発振する水晶振動子を用い、前記水晶フィルタと前記水晶発振子とを、温度特性及び経年変化特性がそれぞれ互いに実質的に同じにする材料から成る一つのモジュール容器に同梱するよう実装し、
前記アンテナ制御部は、予め特定の指向性に対応するアンテナパターンと現状の指向性を記憶するアンテナ状態テーブルを備え、前記アンテナ状態テーブルを参照し、受信データの符号誤り率と現状の指向性とに基づいてアンテナパターンを決定することを特徴とする高周波無線機システム。
【請求項８】
アンテナ制御部は、アンテナパターンを形成してアンテナ部における指向性を調整した後に、拡散率が予め定められた範囲内で下限でない場合に、以降の受信フレームから拡散率を減少させる旨の情報を子機に通知すると共に、親機の無線部及び信号処理部では当該減少させた拡散率により受信動作が行われるよう制御信号を出力することを特徴とする請求項７記載の高周波無線機システム。
【請求項９】
アンテナ制御部は、アンテナパターンを形成してアンテナ部における指向性を調整した後に、拡散率が予め定められた範囲内で上限でない場合に、以降の受信フレームから拡散率を増加させる旨の情報を子機に通知すると共に、親機の無線部及び信号処理部では当該増加させた拡散率により受信動作が行われるよう制御信号を出力することを特徴とする請求項７又は８記載の高周波無線機システム。
【手続補正２】
【補正対象書類名】明細書
【補正対象項目名】００１４
【補正方法】変更
【補正の内容】
【００１４】
上記従来例の問題点を解決するための本発明は、高周波無線機の制御方法において、スペクトラム拡散変調された微弱電波の信号を受信し、スペクトラム逆拡散復調して、受信データに含まれる識別子を確認し、当該識別子が受信側で記憶する識別子と一致する場合に、受信データの符号誤り率と予め設定された良好な通信における誤り率のしきい値とを比較し、両者の差分を標準値と比較して通信環境の状態を判定し、アンテナ状態テーブルを参照して複数配置したアンテナから受信させるアンテナを特定するアンテナパターンを形成し、当該形成されたアンテナパターンに従ってアンテナの選択を行うことで、当該通信環境の状態に応じてアンテナの総合した指向性を調整することを特徴とする。
【手続補正３】
【補正対象書類名】明細書
【補正対象項目名】００１５
【補正方法】変更
【補正の内容】
【００１５】
本発明は、上記高周波無線機の制御方法において、標準値は、調整履歴から算出され、アンテナ状態テーブルは、電波の受信角度に対して使用のために選択されるアンテナを記憶するものであり、標準値に基づいて受信データの符号誤り率と誤り率のしきい値との差分の大小を決定することで通信環境の状態を判定し、前記アンテナ状態テーブルを参照して前記差分の大小に対応するアンテナパターンを形成することを特徴とする。
また、本発明は、上記高周波無線機の制御方法において、受信データの符号誤り率と誤り率のしきい値との差分が大きい場合は、現在の受信角度に対して１８０度方向の受信感度を持つアンテナパターンを形成することを特徴とする。
また、本発明は、受信データの符号誤り率と誤り率のしきい値との差分が小さい場合は、現在の受信角度に対して隣接する受信角度の受信感度を持つアンテナパターンを形成することを特徴とする。
【手続補正４】
【補正対象書類名】明細書
【補正対象項目名】００１７
【補正方法】変更
【補正の内容】
【００１７】
本発明は、子機からの微弱電波をスペクトラム拡散通信方式により受信する親機を備える高周波無線機システムであって、親機が、複数のアンテナを備えるアンテナ部と、アンテナ部から取り込んだ微弱電波を増幅して帯域制限し、中間周波数帯にダウンコンバートして増幅する無線部と、無線部から入力された信号をキャリア復調し、スペクトラム逆拡散処理して同期した信号を復調し、受信データを復号する信号処理部と、アンテナ部における指向性を特定のアンテナを選択することで調整するアンテナ切替部と、信号処理部で得られた受信データに含まれる識別子と予め記憶する識別子が一致した場合に、受信データについて符号誤り率に応じてアンテナ切替部におけるアンテナパターンを形成するアンテナ制御部とを有し、無線部は、アンテナ部から取り込んだ微弱電波を増幅して帯域制限するのに水晶フィルタを用い、帯域制限された信号を中間周波数帯にダウンコンバートするのに高周波ローカル信号を発振する水晶振動子を用い、前記水晶フィルタと水晶発振子とを、温度特性及び経年変化特性がそれぞれ互いに実質的に同じにする材料から成る一つのモジュール容器に同梱するよう実装し、アンテナ制御部は、予め特定の指向性に対応するアンテナパターンと現状の指向性を記憶するアンテナ状態テーブルを備え、アンテナ状態テーブルを参照し、受信データの符号誤り率と現状の指向性とに基づいてアンテナパターンを決定することを特徴とする。
【手続補正５】
【補正対象書類名】明細書
【補正対象項目名】００２１
【補正方法】変更
【補正の内容】
【００２１】
本発明によれば、スペクトラム拡散変調された微弱電波の信号を受信し、スペクトラム逆拡散復調して、受信データに含まれる識別子を確認し、当該識別子が受信側で記憶する識別子と一致する場合に、受信データの符号誤り率と予め設定された良好な通信における誤り率のしきい値とを比較し、両者の差分を標準値と比較して通信環境の状態を判定し、アンテナ状態テーブルを参照して複数配置したアンテナから受信させるアンテナを特定するアンテナパターンを形成し、当該形成されたアンテナパターンに従ってアンテナの選択を行うことで、当該通信環境の状態に応じてアンテナの総合した指向性を調整する高周波無線機の制御方法としているので、通信環境の状態に応じて動的にアンテナの総合した指向性を最適化できる効果がある。
【手続補正６】
【補正対象書類名】明細書
【補正対象項目名】００２２
【補正方法】変更
【補正の内容】
【００２２】
本発明によれば、標準値は、調整履歴から算出され、アンテナ状態テーブルは、電波の受信角度に対して使用のために選択されるアンテナを記憶するものであり、標準値に基づいて受信データの符号誤り率と誤り率のしきい値との差分の大小を決定することで通信環境の状態を判定し、前記アンテナ状態テーブルを参照して前記差分の大小に対応するアンテナパターンを形成する高周波無線機の制御方法としているので、安定した通信環境では拡散率を減少（伝送レートを増加）させて、伝送故意率を向上させることができる効果がある。
また、本発明によれば、上記高周波無線機の制御方法において、受信データの符号誤り率と誤り率のしきい値との差分が大きい場合は、現在の受信角度に対して１８０度方向の受信感度を持つアンテナパターンを形成する高周波無線機の制御方法としているので、角度調整を無理なく迅速に行うことができる効果がある。
また、本発明は、受信データの符号誤り率と誤り率のしきい値との差分が小さい場合は、現在の受信角度に対して隣接する受信角度の受信感度を持つアンテナパターンを形成する高周波無線機の制御方法としているので、角度調整を無理なく迅速に行うことができる効果がある。
【手続補正７】
【補正対象書類名】明細書
【補正対象項目名】００２４
【補正方法】変更
【補正の内容】
【００２４】
本発明によれば、子機からの微弱電波をスペクトラム拡散通信方式により受信する親機を備える高周波無線機システムであって、親機が、複数のアンテナを備えるアンテナ部と、アンテナ部から取り込んだ微弱電波を増幅して帯域制限し、中間周波数帯にダウンコンバートして増幅する無線部と、無線部から入力された信号をキャリア復調し、スペクトラム逆拡散処理して同期した信号を復調し、受信データを復号する信号処理部と、アンテナ部における指向性を特定のアンテナを選択することで調整するアンテナ切替部と、信号処理部で得られた受信データに含まれる識別子と予め記憶する識別子が一致した場合に、受信データについて符号誤り率に応じてアンテナ切替部におけるアンテナパターンを形成するアンテナ制御部とを有し、無線部は、アンテナ部から取り込んだ微弱電波を増幅して帯域制限するのに水晶フィルタを用い、帯域制限された信号を中間周波数帯にダウンコンバートするのに高周波ローカル信号を発振する水晶振動子を用い、前記水晶フィルタと水晶発振子とを、温度特性及び経年変化特性がそれぞれ互いに実質的に同じにする材料から成る一つのモジュール容器に同梱するよう実装し、アンテナ制御部は、予め特定の指向性に対応するアンテナパターンと現状の指向性を記憶するアンテナ状態テーブルを備え、アンテナ状態テーブルを参照し、受信データの符号誤り率と現状の指向性とに基づいてアンテナパターンを決定するものとしているので、受信データの符号誤り率に応じて動的にアンテナ部の指向性を最適化できる効果がある。